(57)【要約】【課題】  ＬＡＮケーブルの診断を簡単に行うことができ、パソコンのハードウェアの各部の機能診断とＬＡＮケーブルの機能診断とを同時に容易に行えるパソコン診断方法および診断用ループバックアダプタを提供する。【解決手段】  このパソコン診断方法は、パソコン１１に診断プログラム４６をインストールしてまたはインストールせずにＦＤ、ＣＤ、その他の任意の媒体から直接に起動させ当該パソコンのハードウェア４１の各コンポーネントの機能診断を行うパソコン診断方法であり、パソコンのＬＡＮ接続部４５に、先端にループバックアダプタ３１が接続されたＬＡＮケーブル２１を接続するアダプタ接続ステップと、ハードウェアに係る機能診断を行う診断ステップとから成り、診断ステップでハードウェアの機能診断を行うことによってＬＡＮケーブルの機能診断を行う方法である。【選択図】      図５
2006195911.tif 000002
【特許請求の範囲】
【請求項１】
パソコンに診断プログラムをインストールしてまたはインストールせずにＦＤ、ＣＤ、その他の任意の媒体から直接に起動させ前記パソコンのハードウェアの各部の機能診断を行うパソコン診断方法であって、
前記パソコンのＬＡＮ接続部に、先端にループバックアダプタが接続されたＬＡＮケーブルを接続するアダプタ接続ステップと、
前記ハードウェアに係る前記機能診断を行う診断ステップと、から成り、
前記診断ステップで前記ハードウェアの機能診断を行うことによって前記ＬＡＮケーブルの機能診断を行うことを特徴とするパソコン診断方法。
【請求項２】
前記ハードウェアの機能診断と共に、同時に、前記ＬＡＮケーブルの前記機能診断を行うことを特徴とする請求項１記載のパソコン診断方法。
【請求項３】
前記ループバックアダプタは、前記ＬＡＮケーブルから送られてくる信号を再び前記ＬＡＮケーブルに戻す伝送路を備えたアダプタであることを特徴とする請求項１または２記載のパソコン診断方法。
【請求項４】
パソコンのハードウェアの各部の機能診断またはＬＡＮケーブルの機能診断の際に前記パソコンに接続される診断用ループバックアダプタであり、
前記ハードウェアの各部の機能診断の際に前記パソコンのＬＡＮ接続部に接続される雄コネクタ部と、
前記ＬＡＮケーブルの機能診断の際に前記パソコンの前記ＬＡＮ接続部に接続された前記ＬＡＮケーブルの先端に接続される雌コネクタ部と、
を有することを特徴とする診断用ループバックアダプタ。
【請求項５】
前記雄コネクタ部と前記雌コネクタ部のそれぞれは、前記パソコンの側から送られてくる信号を再び前記パソコンの側に戻す伝送路を備えることを特徴とする請求項４記載の診断用ループバックアダプタ。
【発明の詳細な説明】
【技術分野】
【０００１】
本発明は、パソコン診断方法および診断用ループバックアダプタに関し、パソコンのハードウェアの各部の機能診断と共に当該パソコンに接続されたＬＡＮケーブルの機能診断を容易に行えるパソコン診断方法および診断用ループバックアダプタに関する。
【背景技術】
【０００２】
オフィス等で使用されるパソコンは、通常、ＬＡＮに接続され、ネットワーク環境で使用される。このようなパソコンのハードウェア（ＣＰＵ、メモリ、ハードディスクドライブ等）の診断ツールとしては、従来よりいくつかの診断ソフトが提案されている（特許文献１）。
【０００３】
通常の従来の診断ソフトを用いて、例えばパソコンに付加されたＬＡＮカード（ネットワークアダプタ）の診断を行うとき、内部ループバックの診断法を使用することがある。この内部ループバックの診断法によれば、ＬＡＮカード自体の動作確認は行えるが、コネクタ部分よりも先の部分の診断を行うことはできない。例えばコネクタ部分の接触不良や断線等は内部ループバックの診断法では発見することができない。
【０００４】
そこで従来では、図６に示すように、パソコン１００のＬＡＮカードのコネクタ部（背面に存在し、図６中では図示されない）に対して雄コネクタ部１０１ａのみを有するループバックアダプタ１０１を直接に接続する診断法が提案されている。この診断法では、パソコンの内部側からＬＡＮカードに対して実際に信号を送信し、ループバックアダプタ１０１によって当該信号はパソコンの内部に戻され、パソコン内部で  受信されるように構成される。かかる診断法によれば、ＬＡＮカードのコネクタ部分を含めた全体の動作確認を行うことができる。
【０００５】
ところが、パソコンとＬＡＮを接続するケーブルの診断については、従来、特別な診断法はなく、高価なケーブルテスタを用いて１本１本のケーブルを手間を掛けてその導通状態を検査するようにしていた。
【特許文献１】特開２０００−４７８９７号公報
【発明の開示】
【発明が解決しようとする課題】
【０００６】
本発明の課題は、パソコンとＬＡＮを接続するケーブルの診断をより簡単に行えるようにすることである。
【０００７】
本発明の目的は、上記の課題に鑑み、パソコンとＬＡＮを接続するケーブルの診断を簡単に行うことができ、さらに、パソコンのハードウェアの各部の機能診断と当該パソコンに接続されたＬＡＮケーブルの機能診断とを同時に容易に行うことができるパソコン診断方法および診断用ループバックアダプタを提供することにある。
【課題を解決するための手段】
【０００８】
本発明に係るパソコン診断方法および診断用ループバックアダプタは、上記目的を達成するために、次のように構成される。
【０００９】
第１の本発明に係るパソコン診断方法（請求項１に対応）は、パソコンに診断プログラムをインストールしてまたはインストールせずにＦＤ、ＣＤ、その他の任意の媒体から直接に起動させ当該パソコンのハードウェアの各部（コンポーネント）の機能診断を行うパソコン診断方法であり、パソコンのＬＡＮ接続部に、先端にループバックアダプタが接続されたＬＡＮケーブルを接続するアダプタ接続ステップと、ハードウェアに係る機能診断を行う診断ステップとから成り、診断ステップでハードウェアの機能診断を行うことによってＬＡＮケーブルの機能診断を行う方法である。
【００１０】
上記のパソコン診断方法では、パソコンのＬＡＮ接続部に、先端にループバックアダプタが接続されたＬＡＮケーブルを接続するアダプタ接続ステップを実行するために、パソコンのハードウェアの各部の機能診断を行う本来の診断ステップを実行するとき、パソコン内部からＬＡＮ接続部を通して出力された信号はＬＡＮケーブルを伝送され、その先端に接続されたループバックアダプタで再びＬＡＮケーブルに戻され、さらにＬＡＮ接続部を経由してパソコン内部に戻される。これにより、診断ステップによってパソコンの機能診断を行うときに、ＬＡＮケーブルの機能診断を併せて行うことが可能となる。
【００１１】
第２の本発明に係るパソコン診断方法（請求項２に対応）は、上記の方法において、好ましくは、ハードウェアの機能診断と共に、同時に、ＬＡＮケーブルの機能診断を行うことで特徴づけられる。
【００１２】
第３の本発明に係るパソコン診断方法（請求項３に対応）は、上記の方法において、好ましくは、ループバックアダプタは、ＬＡＮケーブルから送られてくる信号を再びＬＡＮケーブルに戻す伝送路を備えたアダプタである。
【００１３】
第４の本発明に係る診断用ループバックアダプタ（請求項４に対応）は、パソコンのハードウェアの各部の機能診断またはＬＡＮケーブルの機能診断の際にパソコンに接続される診断用ループバックアダプタであり、ハードウェアの各部の機能診断の際にパソコンのＬＡＮ接続部に接続される雄コネクタ部と、ＬＡＮケーブルの機能診断の際にパソコンのＬＡＮ接続部に接続されたＬＡＮケーブルの先端に接続される雌コネクタ部とを有するように構成される。
【００１４】
上記の診断ループバックアダプタでは、１つのアダプタ機器で、パソコンのみの機能診断のためのループバックアダプタと、ＬＡＮケーブルの機能診断のためのループアダプタの２つの目的のために使用することが可能となる。
【００１５】
第５の本発明に係る診断用ループバックアダプタ（請求項５に対応）は、上記の構成において、好ましくは、雄コネクタ部と雌コネクタ部のそれぞれは、パソコンの側から送られてくる信号を再びパソコンの側に戻す伝送路を備えることを特徴とする。
【発明の効果】
【００１６】
本発明によれば次の効果を奏する。本発明に係るパソコン診断方法によれば、パソコンとＬＡＮを接続するケーブルの診断を簡単に行うことができ、さらに、パソコンのハードウェアの各部の機能診断と当該パソコンに接続されたＬＡＮケーブルの機能診断とを同時に容易に行うことができる。本発明に係る診断用ループバックアダプタによれば、上記パソコン診断方法の実施を容易にかつ安価に実現することができる。
【発明を実施するための最良の形態】
【００１７】
以下に、本発明の好適な実施形態（実施例）を添付図面に基づいて説明する。
【００１８】
図１に、本発明に係る診断用ループバックアダプタを使用したパソコン診断方法の実施の一実施形態を示す。１１はパソコンである。パソコン１１は、パソコン本体１２と入力装置１３と表示装置１４等から構成される。１５は、パソコンのハードウェアの各部の機能診断を実行するパソコン診断プログラムを保存したフロッピー（登録商標）ディスク（ＦＤ）である。フロッピー（登録商標）ディスク１５は、パソコン本体１２のＦＤドライバに矢印１６のごとくセットされ、フロッピー（登録商標）ディスク１５内に保存されたパソコン診断プログラムはパソコン１１にインストールされる。このパソコン診断プログラムを起動すると、パソコン１１において当該パソコンのハードウェアの各部の機能診断を行うことができる。なおパソコン診断プログラムを保存する記憶媒体はフロッピー（登録商標）ディスク１５に限定されず、任意の記憶媒体（コンパクトディスク（ＣＤ）、ＲＯＭ等）を用いることができる。
【００１９】
上記の実施形態の場合、上記パソコン診断プログラムは、パソコン１１のＯＳ上で動作する。他方、フロッピー（登録商標）ディスク１５等の記録媒体内に予め自己起動可能なパソコン診断プログラムを用意するように構成することもできる。この場合には、パソコン診断プログラムは、パソコン１１内にインストールされない状態でパソコン１１内にセットされ、かつ起動される。さらにパソコン１１内にパソコン診断プログラムをセットする手段としては、インストールしてまたはインストールせずにその他の任意の媒体（メディア）を用いることができ、これにより直接にパソコン診断プログラムを起動することができる。
【００２０】
上記パソコン１１では、通常、パソコン本体１２の背面部にＬＡＮに接続するためのＬＡＮ接続部を備えている。ＬＡＮ接続部は雌コネクタとして形成されている。
【００２１】
図１において２１はＬＡＮケーブルである。ＬＡＮケーブル２１は、パソコン１１をＬＡＮ（図示せず）に接続するためのケーブルである。この例では、ＬＡＮケーブル２１の一端には雄コネクタ２２が設けられ、他端にも同じ構造の雄コネクタ２３が設けられている。ＬＡＮケーブル２１の一端の雄コネクタ２２は、矢印２４に示すごとく、パソコン１１のパソコン本体１２の上記ＬＡＮ接続部に接続される。
【００２２】
さらに図１において、３１は診断用ループバックアダプタである。この診断用ループバックアダプタ３１の雌コネクタ部３１ａには、矢印２５に示すごとく、ＬＡＮケーブル２１の他端の上記雄コネクタ２３が接続される。
【００２３】
ここで、図２〜４を参照して診断用ループバックアダプタ３１について説明する。図２は診断用ループバックアダプタ３１を雌コネクタ部から見た斜視図であり、図３は診断用ループバックアダプタ３１を雄コネクタ部から見た斜視図であり、図４は診断用ループバックアダプタ３１の内部の電気回路の構成図である。
【００２４】
診断用ループバックアダプタ３１の一端は、上記のごとく雌コネクタ部３１ａが形成されている。また診断用ループバックアダプタ３１の他端には雄コネクタ部３１ｂが形成されている。診断用ループバックアダプタ３１の内部の電気回路は、図４に示すごとく、雌コネクタ部３１ａと雄コネクタ部３１ｂのいずれも、フィードバック回路３２ａ，３２ｂを有するように形成されている。従って、雌コネクタ部３１ａで入力された信号ＳＩＧ１は再び雌コネクタ部３１ｂから出力される。また雄コネクタ部３１ｂで入力された信号ＳＩＧ２は再び雄コネクタ部３１ｂから出力される。
【００２５】
再び、図１に戻ってＬＡＮケーブル２１の機能診断の方法について説明する。図１に示すように、ＬＡＮケーブル２１の一端の雄コネクタ２２を矢印２４のごとくパソコン１１のパソコン本体１２のＬＡＮ接続部に接続し、さらにＬＡＮケーブル２１の他端の雄コネクタ２３に対して診断用ループバックアダプタ３１の雌コネクタ部３１ａを矢印２５のごとく接続する。これにより、ＬＡＮケーブル２１の機能診断の準備が完了する。この接続関係に基づく状態は、図５に示される。
【００２６】
図５で、１１はパソコン、４１はパソコン本体１２内のハードウェアを意味している。ハードウェア４１内には、ＣＰＵ４２、メモリ４３、各種の駆動装置４４等が示されている。また４５はパソコン本体１２の背面部に設けられたＬＡＮ接続部である。ＬＡＮ接続部４５には、上記のＬＡＮケーブル２１の雄コネクタ２２が接続されている。
【００２７】
またパソコン１１の内部には、既にインストールされた前述のパソコン診断プラグラム４６が示されている。診断用ループバックアダプタ３１が他端に接続されたＬＡＮケーブル２１が、パソコン本体１２のＬＡＮ接続部４５に接続された状態において、パソコン診断プログラム４６が起動され、実行される。このパソコン診断プログラム４６の実行において、パソコン１１のハードウェア４１の各部の機能診断と共に、ＬＡＮケーブル２１の機能診断のためにＬＡＮケーブル２１に対して信号ＳＩＧ３を送信する。信号ＳＩＧ３はＬＡＮ接続部４５、雄コネクタ２２、ＬＡＮケーブル２１の順序で伝送される。信号ＳＩＧ３はＬＡＮケーブル２１の他端に到達し、雌コネクタ部３１ｂを経由して診断用ループバックアダプタ３１内に入力されると、診断用ループバックアダプタ３１内の上記フィードバック回路３２ａによって再び雌コネクタ部３１ａを介してＬＡＮケーブル２１に戻され、さらに、パソコン１１の内部に戻される。パソコン診断プログラム４６は、戻ってきた信号ＳＩＧ３に基づき、ＬＡＮケーブル２１の機能診断を行う。
【００２８】
以上によって、パソコン診断プログラム４６を起動・実行するときに、予め、上記構成を有する診断用ループバックアダプタ３１が他端に接続されたＬＡＮケーブル２１をパソコン本体１２のＬＡＮ接続部４５に接続するようにしたため、パソコン１１のハードウェア４１の各部の機能診断と共に、同時に、ＬＡＮケーブル２１自体の機能診断も容易に行うことができる。
【００２９】
なお上記の診断用ループバックアダプタ３１によれば、その雄コネクタ部３１ｂを直接にパソコン本体１２のＬＡＮ接続部４５に接続するようにすれば、パソコン１１のハードウェア４１の各部の機能診断のためだけにも使用することができる。
【００３０】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００３１】
本発明は、ＬＡＮにＬＡＮケーブルでパソコンを接続するとき当該ＬＡＮケーブルの機能診断を容易に行うのに利用される。
【図面の簡単な説明】
【００３２】
【図１】本発明に係る診断用ループバックアダプタを使用したパソコン診断方法の実施の一実施形態を示す図である。
【図２】本実施形態に係る診断用ループバックアダプタを雌コネクタ部から見た斜視図である。
【図３】本実施形態に係る診断用ループバックアダプタを雄コネクタ部から見た斜視図である。
【図４】本実施形態に係る診断用ループバックアダプタの内部の電気回路の構成図である。
【図５】本実施形態に係るＬＡＮケーブルの機能診断を説明するブロック回路図である。
【図６】従来のパソコンの診断方法を説明する図である。
【符号の説明】
【００３３】
１１      パソコン
１２      パソコン本体
１５      フロッピー（登録商標）ディスク
２１      ＬＡＮケーブル
３１      診断用ループバックアダプタ
３１ａ    雌コネクタ部
３１ｂ    雄コネクタ部
【図１】
2006195911.tif 000003
【図２】
2006195911.tif 000004
【図３】
2006195911.tif 000005
【図４】
2006195911.tif 000006
【図５】
2006195911.tif 000007
【図６】
2006195911.tif 000008